(57)【要約】【課題】  簡単に持ち運べるポータブルトイレを提供する。【解決手段】  上下方向に開口する筒体状に段ボールで形成され内壁面に水平方向に延びる段部７を有する筺体４と、筺体４の上端に筺体４の上方の開口を覆うように着脱可能に装着された便座５と、筺体４の段部７上に横たわらせた状態で載置され段ボールより剛性に優れた支持部材８と、支持部材８に支持されて筺体４内に配置され、便座５の開口から筺体４内に排泄された排泄物をパッケージ化して密封するパッケージ手段６とを備える。【選択図】  図２
0003161376.tif 000002
【実用新案登録請求の範囲】
【請求項１】
上下方向に開口する筒体状に段ボールで形成され内壁面に水平方向に延びる段部を有する筺体と、
前記筺体の上端に前記筺体の上方側の開口を覆うように着脱可能に装着された便座と、
前記筺体の段部上に横たわらせた状態で載置され前記段ボールより剛性に優れた支持部材と、
前記支持部材に支持されて前記筺体内に配置され、前記便座の開口から前記筺体内に排泄された排泄物をパッケージ化して密封するパッケージ手段とを備えたことを特徴とするポータブルトイレ。
【請求項２】
前記筺体は、矩形筒体状に形成され、この筺体の互いに対向する一対の内壁面の一方に、この内壁面に沿って前記段部がそれぞれ形成され、
前記支持部材は、前記２つの段部上にそれぞれ載置される２つ設けられ、これら２つの支持部材は、各辺の幅が前記段部の幅以下の寸法の矩形状に外形が形成されてなり、かつ、長手方向の長さが前記段部の長手方向の長さより短く形成されてなる請求項１に記載のポータブルトイレ。
【請求項３】
前記筺体の上端の前記便座との間に着脱可能に設けられ、前記筺体と前記パッケージ手段との間への前記排泄物の侵入を防止するシート部材を備えた請求項１又は２に記載のポータブルトイレ。
【請求項４】
前記筺体は、肘掛を有してなる請求項１〜３のいずれか１項に記載のポータブルトイレ。
【考案の詳細な説明】
【技術分野】
【０００１】
本考案は、トイレ設備のない場所、例えば病院や介護施設などの個室、一般家庭の寝室、工事現場などのようにトイレ設備が常設されていない場所に置いて有用なポータブルトイレに関するものである。
【背景技術】
【０００２】
ポータブルトイレは、所望の場所に持ち運んで置いて使用できる利点がある（例えば、特許文献１、２参照。）。このポータブルトイレは、略直方体状の筺体と、筺体内に設けられチューブ状のパッケージ材に排泄物を収容させそのパッケージ材を密閉したものを貯留部に溜めるためのトイレ機構とを有している。筺体の上面には、便座となる凸部及び凸部により区画形成された開口が設けられている。排泄物は、便座の開口から筺体内のパッケージ材内に落下して収容され、そのパッケージ材が密閉されてから貯留部に溜められるようになっている。
【先行技術文献】
【特許文献】
【０００３】
【特許文献１】特開２００５−１３０９８５号公報
【特許文献２】特開２００７−１１７２８４号公報
【考案の概要】
【考案が解決しようとする課題】
【０００４】
ところで、従来のポータブルトイレは、筺体がアルミ等の金属や木材で形成されているために、ポータブルトイレ全体としての重量が重くなり、持ち運ぶためには大きな力が必要となり簡単に持ち運ぶことができなかった。
本考案が解決しようとする課題は、簡単に持ち運べるポータブルトイレを提供することにある。
【課題を解決するための手段】
【０００５】
前記課題を解決するため、本考案に係るポータブルトイレは、上下方向に開口する筒体状に段ボールで形成され内壁面に水平方向に延びる段部を有する筺体と、前記筺体の上端に前記筺体の上方側の開口を覆うように着脱可能に装着された便座と、前記筺体の段部上に横たわらせた状態で載置され前記段ボールより剛性に優れた支持部材と、前記支持部材に支持されて前記筺体内に配置され、前記便座の開口から前記筺体内に排泄された排泄物をパッケージ化して密封するパッケージ手段とを備えたことを特徴とする。
【０００６】
このように、筺体が段ボールで形成されているので、軽量化を図れる。この場合、パッケージ手段を支持する筺体が段ボールで形成されているとき、パッケージ手段を支持する箇所が筺体の特定の箇所に集中すると、段ボールである筺体でパッケージ手段を支持できないことがあり得るが、本考案では、筺体の内壁面に段部を形成し、この段部に載置した剛性に優れた支持部材にパッケージ手段を支持させるから、パッケージ手段を支持する箇所が段部上で分散するので、段ボールの筺体で十分にパッケージ手段を支持することが可能である。よって、ポータブルトイレの軽量化を図れ、ポータブルトイレを簡単に持ち運べることができる。
また、便座が筺体に着脱可能に設けられているので、便座のメンテナンス、修理及び交換が簡単である。
【０００７】
この場合において、筺体を、矩形筒体状に形成し、この筺体の互いに対向する一対の内壁面の一方に、この内壁面に沿って段部をそれぞれ形成し、支持部材を、２つの段部上にそれぞれ横たわる２つ設け、これら２つの支持部材を、各辺の幅が前記段部の幅以下の寸法の矩形状に外形を形成してなり、かつ、長手方向の長さが段部の長手方向の長さより短く形成してなることができる。また、この場合において、筺体の上端の便座との間に着脱可能に設けられ、筺体とパッケージ手段との間への排泄物の侵入を防止するシート部材を備えることができる。さらに、この場合において、筺体に肘掛を設けることもできる。
【考案の効果】
【０００８】
本考案によれば、ポータブルトイレの持ち運びを簡単にできる。また、便座のメンテナンス、修理及び交換を簡単に行える。
【図面の簡単な説明】
【０００９】
【図１】本考案に係る一例の実施形態のポータブルトイレを示す斜視図である。
【図２】本実施形態のポータブルトイレのトイレ本体２を示す分解斜視図である。なお、図２中の筺体は内部が分かりやすいように透明であると仮想して線図にして表してある。
【図３】本実施形態のトイレ本体２を半割にした状態を示す斜視図である。
【図４】本実施形態のポータブルトイレの筺体を示す図で、（ａ）は斜視図、（ｂ）は半割にした状態を示す斜視図、（ｃ）は（ｂ）とは反対側の半割にした状態を示す斜視図である。
【図５】本実施形態のポータブルトイレの他の一例を示す斜視図である。
【考案を実施するための形態】
【００１０】
以下、本考案に係るポータブルトイレの実施形態を添付図面に基づいて説明する。図１に示すように、本実施形態の一例のポータブルトイレ１は、トイレ本体２と蓋３とからなる。蓋３は、トイレ本体２の上端及び上方を覆い隠すもので、トイレ本体２の上方に着脱可能に装着される。蓋３は、例えば、後述する筺体４を形成する段ボールと同じ材料で形成されている。なお、ポータブルトイレ１は、図示例ではトイレ本体２と蓋３とからなるが、蓋３がないトイレ本体２のみでポータブルトイレ１を構成するようにしてもよい。
【００１１】
トイレ本体２は、図２及び図３に示すように、上下方向に開口する筒体状に形成された筺体４と、筺体４の上端に筺体４の上方側の開口を覆うように着脱可能に装着された便座５と、筺体４内に配置され、便座５の開口から筺体４内に排泄された排泄物をパッケージ化して密封するパッケージ手段６とを備えている。
【００１２】
筺体４は、図１〜図４に示すように、筒体状に形成され、その断面形状は、円形、楕円形、五角形以上の多角形状等特に限定されず、特に前後方向の長さが長い矩形状に形成されていることが好ましい。筺体４の前面及び両側面の下方の中央部には、略逆Ｕ字状の切り込み４ａ、４ｂがそれぞれ形成されており、前面の両側の角部が脚部として形成されている。筺体４の前後の内壁面には、それぞれ段部７が形成されている。段部７は、例えば、内壁面の高さ方向の上から略１／３の位置で内壁面の表面が断面クランク状に形成されてなる。すなわち、段部７は、筺体４の壁の厚さが上から略１／３より残りの略２／３の方が厚く形成されてなり、内壁面の幅方向全体にわたって水平に延びた平面として形成されている。なお、段部７の位置、幅の寸法及び形状は、特に限定されず、任意に設定することができる。また、段部７は、筺体４の前後の内壁面に設けたが、両側の内壁面に設けるようにしてもよいし、また、前後及び両側の所望の３つの内壁面や４つの内壁面すべてに設けるようにしてもよい。
【００１３】
また、筺体４の前壁の左側上方（前面を目視したとき右側上方）の角部近傍には、電源スイッチボタン１５ａ、表示部１５ｂ等を前面に有し、筒状フィルムの送りスイッチ１５ｃやリセットスイッチ１５ｄが筺体４内に配置されるスイッチユニット１５が嵌合される横長の矩形状の穴４１が形成されている。前壁の穴４１の近傍の筺体４の左側壁には、前壁の穴４１にスイッチユニット１５を嵌合させたときに、スイッチユニット１５の一部が挿入される互いに平行な一対のスリット４２が形成されている。また、筺体４の後面の段部７より下方には、電源スイッチ１６ａ、電源コンセント１６ｂ、ヒューズ等を有する電源ユニット１６が嵌合される貫通された電源穴４３が形成され、かつ、電源ユニット１６に接続される器械箱１７が嵌合される断面凹状の箱嵌合部４４が内壁面に形成されてなる。器械箱１７には、基板等が収容される。また、後壁には、ポータブルトイレ１の持ち運びを簡単にするための穴４５が設けられている。
【００１４】
筺体４は、段ボールで形成されている。段ボールとしては、耐性に優れるものが望ましく、例えば、パルプ繊維を基材としてポリエステル樹脂等の合成樹脂をコーティングし、耐水性・耐候性・断熱性に優れ軽量かつ高強度のものを用いることができる。段ボールの基材（つまり段ボール）は、具体的には、表裏のライナー層とこれらライナー層間で波形にコルゲート加工された状態で積層されている中芯層とからなるもの、建築材として用いられているもの、段ボールを積層したもの等を用いることができる。
【００１５】
便座５は、筺体４の上端に筺体４の上方の開口を覆うように着脱可能に装着されるものである。便座５は、例えば、筺体４の上端の矩形状と略同じ矩形状の板状に形成されている。便座５の開口である便座穴５１は、円形、楕円形等公知の形状であれば特に限定されないが、幅方向の中央部に前後方向に延び２つの略半円を直線で連結した形状であって後方側の略半円より前方側の略半円の径が小さな形状に形成されていることが望ましい。便座５の上面である表面は、便座穴５１を形成する端部近傍が洋式便座の形状に形成されている。また、便座穴５１を形成する表面側の角部は、Ｒに形成されている。便座５の下面である裏面には、筺体４の上方側の開口から筺体４に嵌合される嵌合突部５２が設けられている。これにより、便座５が筺体４の上端に筺体４の上方の開口を覆うように着脱可能に装着されるようになっている。また、便座５は、一体のものであってもよいが、便座穴５１を形成し臀部が接触する便座部５ａと筺体４に装着される装着部５ｂとの２つの部材から形成してもよい。便座５は、例えば、合成樹脂で形成されるが、便座５が便座部５ａと装着部５ｂとの２つの部材からなる場合には、同じ材料で形成してもよいが、例えば、装着部５ｂが構成に優れた材料で、便座部５ａが柔軟性に優れた材料で形成するようにしてもよい。
【００１６】
パッケージ手段６は、便座５の便座穴５１から筺体４内に排泄された排泄物をパッケージ化して密封するものであれば、特に限定されない。パッケージ手段６は、例えば、排泄物をガイドするガイド部６１と、排泄物をパッケージ化するための筒状フィルムを収容するフィルム収容部６２と、排泄物を筒状フィルムでパッケージ化して密封するパッケージ機構６３とを備えている。
【００１７】
ガイド部６１は、洋式便器の形状に模して形成されている。ガイド部６１は、便座穴５１の後方側の略半円の径と略同じ径の２つの半円を直線で連結した筒状部６１ａと、筒状部６１ａの上端が外方に末広がり状に拡径し先端が便座穴５１より大きくかつ便座５の下面の近傍に位置されて形成される末広がり部６１ｂと、筒状部６１ａの下端が便座５の穴の後方側の略半円の下方に略矩形状に形成されてなる排出口６１ｃと、筒状部６１ａの内面の下方が排出口６１ｃに向かって傾斜して排泄物を排出口６１ｃに案内する傾斜案内部６１ｄとからなる。
【００１８】
フィルム収容部６２は、ガイド部６１の筒状部６１ａの外周に筒状部６１ａを覆うように筒状に形成されている。このフィルム収容部６２内には、筒状フィルムが収容されている。筒状フィルムは、ポータブルトイレに用いられヒートシール可能なものであれば特に限定されず、例えば、ポリエチレン等の長尺の筒状の合成樹脂フィルムが用いられる。筒状フィルムは、フィルム収容部６２内に例えば蛇腹環状に折り畳まれ、かつ、漸次引き出し可能に収容されており、フィルム収容部６２から引き出された筒状フィルムは、筒状部６１ａ及び末広がり部６１ｂの外面を順次覆ってから末広がり部６１ｂ、筒状部６１ａ、傾斜案内部６１ｄ及び排出口６１ｃの内面を順次覆って排出口６１ｃからパッケージ機構６３に導かれるようになっている。
【００１９】
パッケージ機構６３は、筺体４内のガイド部６１の下方に配置され、スイッチユニット１５、電源ユニット１６及び器械箱１７に接続されている。パッケージ機構６３は、筒状フィルムをフィルム収容部６２から引き出して筺体４内の下方に導くフィルム引き出し部と、筒状フィルムをヒートシールするヒートシート部と、筒状フィルムをカットするカット部とを備えている。パッケージ機構６３は、例えば、筒状フィルムをヒートシート部でその幅方向にヒートシールして筒状フィルムの底を形成し、この筒状フィルム内に排泄物が排泄されて収容されると、筒状フィルムをフィルム引き出し部により下方に引き出し、排泄物が収容されている筒状フィルムの上方をヒートシート部でシールするとともにカット部でこのシール部をカットする。このとき、ヒートシート部でシールは、筒状フィルムの長手方向に間隔をおいて２箇所行い、この２箇所のヒートシールの間をカットすることで、排泄物をパッケージ化して密封された袋体が形成されるとともに、筒状フィルムの底が形成されるように構成されている。なお、パッケージ機構６３は、排泄物をパッケージ化して密封することができれば他の構造で構成するようにしてもよい。
【００２０】
パッケージ手段６は、筺体４の段部７上に横たわらせた状態で載置される支持部材８に支持されている。支持部材８は、段ボールより剛性に優れた材料、例えば、木材や金属により形成されるが、軽量化の観点からアルミニウムで形成されていることが好ましい。支持部材８は、例えば、外形が矩形状、特に正方形状に形成されていることが好ましい。支持部材８の１辺の幅は、段部７の幅より短い寸法で形成されていることが好ましい。また、支持部材８の長手方向の長さは、段部７の長手方向の長さより短く例えば若干短い寸法で形成されていることが好ましい。支持部材８は、筺体４の２つの段部７上にそれぞれ全体が横たわらせた状態で載置されるように２つ設けられている。これら２つの支持部材８は、各段部７上に載置した状態でそれぞれ接着剤で固定される。なお、支持部材８の段部７への固定は、接着剤を用いずに他の方法で固定するようにしてもよい。２つの支持部材８の上面の中央部と両端部の間の略中央には、それぞれネジ穴８ａが設けられている。
【００２１】
パッケージ手段６を構成するパッケージ機構６３は、筺体４内に収容される矩形箱状の枠体６４内に配置されている。枠体６４は、ガイド部６１の略矩形状の排出口６１ｃと対応する上面の箇所にその排出口６１ｃと略同じ矩形状の穴が形成されてなり、かつ、下面が開口されている。枠体６４の筺体４の前後の内壁面と対向する２つの面の上方の両側近傍には水平方向に延びる平板状の一対の取付ステー６５、６６がそれぞれ設けられている。これら２組の一対の取付ステー６５、６６は、それぞれ支持部材８のネジ８ａ穴上に載置されるように形成されている。すなわち、パッケージ機構６３は、枠体６４及び取付ステー６５、６６を介して支持部材８に支持されている。また、２組の一対の取付ステー６５、６６の支持部材８のネジ穴８ａに対応する箇所には、貫通穴６５ａ、６６ａが設けられている。
【００２２】
また、ガイド部６１の下方の外側には、支持板６７が取り付けられている。支持板６７は、筺体４内に水平状態を維持したまま収容し得るように段部７より上方の筺体４内の矩形状より若干小さい矩形状に形成されている。このガイド部６１が取り付けられた支持板９７は、パッケージ機構６３を支持する取付ステー６５、６６が載置された支持部材８上に載置される。すなわち、４つの取付ステー６５、６６上と枠体６４の上面上に支持板６７が載置されるようになっている。支持部材８のネジ穴８ａ及び取付ステー６５、６６の通過穴６５ａ、６６ａに対応する支持板６７の箇所には、通し穴６７ａが設けられている。これにより、ビスなどのネジ部材やピン等によりパッケージ機構６３、フィルム収容部６２を有するガイド部６１、すなわち、パッケージ手段６が支持部材８に固定された状態で支持されるようになっている。
【００２３】
また、筺体４の上端の便座５との間には、シート部材９が設けられている。シート部材９は、筺体４とパッケージ手段６との間への排泄物特に尿の侵入を防止するものである。
シート部材９は、例えば、合成樹脂で、筺体４の外形の矩形状より若干大きな矩形状に形状されている。シート部材９の４辺の縁部は、筺体４の４つの辺の上端に嵌合し得るように断面逆凹状に形成されている。これにより、シート部材９が筺体４の上端に被せられるように着脱可能に取り付けられており、このシート部材９が取り付けられた筺体４の上端に便座５が装着される。便座５の便座穴５１と対応するシート部材９の箇所には、便座穴５１より若干大きな穴であって便座穴５１と略同じ形状の穴が設けられている。シート部材９の穴を形成する端部は、下方に傾斜して傾斜部９ａとして形成されている。
【００２４】
また、筺体４の両側壁の切り欠み４ｂにより形成された略Ｕ字状の端面の中央部には、シューター１１の両端部が掛け渡された状態で取り付けられている。シューター１１の取付は、特に限定されず、例えば、接着剤を用いて行われる。シューター１１は、例えば、４５度傾斜した傾斜板１１ａを有し、袋体を筺体４内の前方側に案内する機能と、排泄物を収容した筒状フィルムをシールして袋体を形成するときに筒状フィルムの底部が接触して筒状フィルムが斜めになって袋体となる筒状フィルム内の空気が少なくなるつまりエアー抜きの機能とを有するものである。
【００２５】
さて、本実施形態のポータブルトイレ１は、筺体４が段ボールで形成されているので、軽量化を図れる。この場合、パッケージ手段６を支持する筺体が段ボールで形成されているとき、パッケージ手段６を支持する箇所が筺体の特定の箇所に集中すると、段ボールである筺体でパッケージ手段６を支持できないことがあり得る。これに対して、本実施形態では、筺体４の内壁面に段部７を形成し、この段部７に横たわらせて載置した状態で固定した支持部材８にパッケージ手段６を支持させるから、パッケージ手段６を支持する箇所が段部７上で分散する。特に段部７を筺体４の内壁面の幅方向の全体にわたって形成し、この段部７上に段部７の長手方向の長さのほぼ全体にわたって支持部材８が載置された状態で固定されるので、パッケージ手段６を支持する箇所が段部７上の広範囲で分散することになる。その結果、段ボールの筺体４で十分にパッケージ手段６を支持することが可能となる。
【００２６】
よって、本実施形態のポータブルトイレ１は、筺体４を段ボールで形成したので、軽量化を図れ、簡単に持ち運べることができる。また、便座５が筺体４に着脱可能に設けられているので、便座５のメンテナンス、修理及び交換を簡単に行える。また、便座５の種類が複数ある場合には、所望のものに簡単に交換できる。さらに、便座５が汚れた場合には、便座５のみを簡単に交換することができるので、衛生上安心して使用することができる。
【００２７】
また、筺体４の４つの内壁面のうち２つの内壁面に段部７を形成し、これら段部７に支持部材８を固定してパッケージ手段６を支持させることで、ポータブルトイレ１の軽量化をより図れる。すなわち、筺体４の４つの内壁面の全てにわたって段部７を形成し、この段部７上に矩形枠状の支持部材８を載置してパッケージ手段６を支持する場合に比して、本実施形態では支持部材８の長さを短くすることができるので、軽量化を図れる。
【００２８】
また、筺体４の上端の便座５との間にシート部材９が設けられているので、筺体４とパッケージ手段６特にパッケージ機構６３との間への排泄物、特に尿の侵入を防止することができるので、パッケージ機構６３を尿に濡れることなく安全に動作させることができる。このとき、シート部材９の穴を形成する端部が下方に傾斜して傾斜部９ａとして形成されていることで、より確実に尿の侵入を防止することができる。
【００２９】
図５は、本実施形態のポータブルトイレの他の一例を示す図である。図５に示すように、このポータブルトイレ７０は、筺体７１に肘掛７２を設けた点に特徴がある。その他の構成は前記のポータブルトイレ１と略同様であるのでその説明を省略する。筺体７１は、両側及び後側の壁の厚さが前記の筺体４より厚く形成されている。筺体７１の左側の壁の上端の外表面側は、左側面の幅方向全体にわたって上方に延びて肘掛７２として形成されている。この肘掛７２の前面側の上部の角部は、Ｒに形成されている。また、筺体７１の後側の壁の上端の外表面側及び右側の略中央から後面までの上端の外表面側は、それぞれ肘掛７２と同様に上方に延びて、肘掛７２とともに、臀部が便座５の所望の位置に着座させるためのガイド７３として形成されている。
【００３０】
これにより、このポータブルトイレ７０は、軽量化を図れる等の前述の作用効果に加えて、肘掛７２やガイド７３を有するので、ポータブルトイレ７０の便座５に着座する場合やポータブルトイレ７０から立ち上がる場合に掴まって補助となるので、ポータブルトイレ７０の使用が容易になる。また、ガイド７３が設けられているから、臀部が便座５の所望の位置に着座するように案内されるので、ポータブルトイレの使用が一層容易になる。
【符号の説明】
【００３１】
１  ポータブルトイレ
２  トイレ本体
４  筺体
５  便座
６  パッケージ手段
７  段部
８  支持部材
９  シート部材
７０  ポータブルトイレ
７１  筺体
７２  肘掛
【図１】
0003161376.tif 000003
【図２】
0003161376.tif 000004
【図３】
0003161376.tif 000005
【図４】
0003161376.tif 000006
【図５】
0003161376.tif 000007